(57)【特許請求の範囲】
【請求項１】
線材を菱形に編み込んで作られた菱形金網を柵に使用した侵入防止用フェンスにおいて、
菱形金網の少なくとも下辺部の網目を当該菱形金網の網面に対して直角な向きに捻って胴縁挿入用の網目が形成されており、この胴縁挿入用の網目は左右の菱形網目と分離されており、同胴縁挿入用の網目に、同網目の内法寸法にほぼ内接する外径寸法の角パイプから成る胴縁が通され、該胴縁の両端部が支柱に固定されていることを特徴とする、侵入防止用フェンス。
【請求項２】
胴縁は、断面形状を菱形に成形加工した角パイプから成ることを特徴とする、請求項１に記載した侵入防止用フェンス。
【請求項３】
菱形金網の上辺部及び下辺部に、線材を捻って先端を二股形状に開いたツイストナックルが形成され、前記ツイストナックルの直下位置及び直上位置の網目を当該菱形金網の網面に対して直角な向きに捻って胴縁挿入用の網目が形成されており、この胴縁挿入用の網目は左右の菱形網目と分離されており、同胴縁挿入用の網目に、同網目の内法寸法にほぼ内接する外径寸法の角パイプから成る胴縁が通されることを特徴とする、請求項１又は２に記載した侵入防止用フェンス。
【発明の詳細な説明】
【技術分野】
【０００１】
この発明は、線材を菱形に編み込んで作られた菱形金網を柵に使用した侵入防止用フェンスの技術分野に属する。
【背景技術】
【０００２】
他人が敷地内に無断で立ち入ることを防止する一般的な侵入防止用フェンスは、図６に例示したように、いわゆる菱形金網１を柵に使用し、その上辺部及び下辺部に骨線５を通し、左右の支柱２、２間に支持された胴縁３へ一定のピッチで複数取り付けた支持金具４により前記の骨線５を引張り状態に支持させた構成の実施例が多い。図７と図８は、丸パイプによる胴縁３と支持金具４及び骨線５による菱形金網１の支持構造を詳細に示している。
【０００３】
次に、下記の特許文献１に開示されたフェンスは、やはり柵に菱形金網を使用したものであるが、菱形金網の上辺部に線材を捻って先端を二股形状に開いた、いわゆるツイストナックルが形成され、その直下の菱形網目に、同網目を側面方向に見て認められる網厚を利用してフラットバー形状の胴縁を通し支持させた構造である。
また特許文献２に開示されたフェンスは、外部からの侵入を防ぐため、既設の菱形金網へ、切断具の刃先が入らない口径のエキスパンドメタルから成る第二フェンスを装着させた構造である。
【０００４】
【特許文献１】実開昭５４−１５８４５０号公報
【特許文献２】実用新案登録第３０８８５１９号公報
【発明の開示】
【発明が解決しようとする課題】
【０００５】
図６に示した従来技術の場合、菱形金網１の下辺部（又は上辺部）、例えば図中に一点鎖線Ｌで指示したような範囲をカッター等で切断した場合、切断箇所は胴縁３を中心として内側又は外側へ自由に回転でき、容易に侵入口を形成できる。
【０００６】
その点、上記特許文献１に開示されたフェンスは、フラットバー形状の胴縁を菱形金網上辺の網目へ通して支持されているが、胴縁に使用可能なフラットバーの大きさは、前記網厚の制限を受けるため、骨線ほど細くはないにしろ、必然的に細くて小さい断面形状の胴縁に限定される。従って、菱形金網の下辺部（又は上辺部）を切断した場合には、上述した従来技術と同様に胴縁を中心として比較的容易に回転でき、侵入用の開口を形成できる。そして、用済後は容易に元の状態に戻せて、完全ではないにしろ、一目見て発見されない程度の修復が可能である。特許文献２に開示されたフェンスの構成では、切断されにくい第二フェンスを装着してはいるが、完全に切断を防ぐことはできない。
【０００７】
本発明の目的は、菱形金網の下辺部（又は上辺部）を切断されても胴縁を中心として回転させることは至難であり、仮に無理矢理に押し曲げて侵入した場合には、その変形を元の状態に戻すことが至難であり、元通りの状態に修復することができず、一見して侵入の痕跡を残して防犯上に有利な、侵入防止用フェンスを提供することである。
【０００８】
本発明の次の目的は、菱形金網の上辺部及び下辺部に人又は動物の侵入防止に効果的なツイストナックルを備え、フェンスを乗り越えて又は潜って侵入することを防ぐ、侵入防止用フェンスを提供することである。
【課題を解決するための手段】
【０００９】
上記従来技術の課題を解決するための手段として、請求項１に記載した発明に係る侵入防止用フェンスは、
線材を菱形に編み込んで作られた菱形金網１０を柵に使用した侵入防止用フェンスにおいて、
菱形金網１０の少なくとも下辺部の網目を当該菱形金網１０の網面に対して直角な向きに捻って胴縁挿入用の網目１０ａが形成されており、この胴縁挿入用の網目１０ａは左右の菱形網目と分離されており、同胴縁挿入用の網目１０ａに、同網目１０ａの内法寸法にほぼ内接する外形寸法の角パイプから成る胴縁１１が通され、該胴縁１１の両端部が支柱１２に固定されていることを特徴とする。
【００１０】
請求項２に記載した発明は、請求項１に記載した侵入防止用フェンスにおいて、
胴縁１１は、断面形状を菱形に加工した角パイプから成ることを特徴とする。
【００１１】
請求項３に記載した発明は、請求項１又は２に記載した侵入防止用フェンスにおいて、
菱形金網１０の上辺部及び下辺部に、線材を捻って先端を二股形状に開いたツイストナックル１３が形成され、前記ツイストナックル１３の直下位置及び直上位置の網目を当該菱形金網１０の網面に対して直角な向きに捻って胴縁挿入用の網目１０ａが形成されており、この胴縁挿入用の網目１０ａは左右の菱形網目と分離されており、同胴縁挿入用の網目１０ａに、同網目の内法寸法にほぼ内接する外径寸法の角パイプから成る胴縁１１が通されることを特徴とする。
【発明の効果】
【００１２】
本発明に係る侵入防止用フェンスは、菱形金網１０の少なくとも下辺部の網目を捻って形成した胴縁挿入用の網目１０ａの内法寸法にほぼ内接する外径寸法の角パイプから成る胴縁１１を通しているので、菱形金網１０の下辺部（又は上辺部）を切断して侵入しようとしても、その切断箇所は胴縁１１を中心として回転することが至難であり、侵入は困難である。強引に敷地内へ侵入しようとする場合には金網を無理矢理に押し曲げなければならず、変形した切断箇所は元通りの状態に修復し難いので、一見して侵入の痕跡を残すこととなる。
【００１３】
本発明はまた、菱形金網１０の上辺部又は下辺部には、線材を捻って先端を二股形状に開いたツイストナックル１３を形成しており、このツイストナックル１３が胴縁１１を掴む手掛かりを制限し、さらに地面との隙間を塞ぐので、他人がフェンスを乗り越えたり、小動物がフェンスを潜って侵入することを防ぐ効果を奏する。
【発明を実施するための最良の形態】
【００１４】
線材を菱形に編み込んで作られた菱形金網１０を柵に使用し、菱形金網１０の少なくとも下辺部の網目を当該菱形金網１０の網面に対して直角な向きに捻って胴縁挿入用の菱形網目１０ａを形成し、同胴縁挿入用の菱形網目１０ａに、同菱形網目１０ａの内法寸法にほぼ内接する外径寸法の角パイプから成る胴縁１１を通し、該胴縁１１の両端部を支柱１２に固定して実施する。
【実施例１】
【００１５】
以下に、図示した本発明の実施例を説明する。
図１は、請求項１記載の本発明に係る侵入防止用フェンスの設置状態を示したもので、金属線材を菱形に編み込んで作られた菱形金網１０を柵に使用している。前記菱形金網１０の上辺部及び下辺部の網目は、図２Ａ、Ｂに拡大して詳示したように、菱形金網１０の網面に対して直角な向きに捻って胴縁挿入用の網目１０ａに形成されており、この胴縁挿入用の網目１０ａは左右の菱形網目と分離されており、同胴縁挿入用の網目１０ａに、同網目１０ａの内法寸法（一例として一辺が５０ｍｍ程度）にほぼ内接する外径寸法（一例として一辺が４５ｍｍ程度）の丈夫な角パイプから成る胴縁１１が通され、該胴縁１１の両端部は左右の支柱１２、１２に強固に固定されている。
【００１６】
上記胴縁１１は十分に頑丈な鋼製であって、断面形状が上記胴縁挿入用の網目１０ａに最適な菱形となるように加工した角パイプから成るもので、侵入防止用としての安心感、信頼感が大きい構造である。該角パイプから成る胴縁１１は、網目１０ａの内法寸法にほぼ内接した状態となるから、仮に菱形金網１０の下辺部が切断されても、胴縁１１を中心として回転することは到底至難である。強引に侵入しようとする場合には、切断した金網を内側又は外側へ無理矢理に押し曲げる方法以外にない。仮に押し曲げられ塑性変形した菱形金網１０は、これを元の状態へ戻そうとしても、完全に元の形状に修復することは到底できない。その結果、菱形金網１０の切断箇所は、警備員又は監視員等が一見して侵入の痕跡と判断できるのである。
【００１７】
なお、胴縁１１に関しては、上記した角パイプのみならず、例えば図３に示したように、角パイプを一の対角線方向に少し圧縮し、他の対角線方向の寸法が少し大きい菱形に成形加工したもので実施することも好ましい。斯くすると、胴縁１１で金網の回転を阻止する作用効果が一層大きくなって、侵入防止効果を高めることができる（請求項２の発明）。
【００１８】
次に上記角パイプから成る胴縁１１の両端部を支柱１２へ支持させる構造は、一例を図４と図５に拡大して示したように、支柱１２をフェンスの内外方向へ水平に貫通させた連結桿１４により連結されている。該連結桿１４には、支柱１２に貫通された孔１５の外側に露出する端部に上記角パイプから成る胴縁１１をその両側から挟み付けて支持するブラケット１６が取り付けられている。連結桿１４の先側部分には、雄ネジ１４ａが形成されており、一対の挟み具１６ａと１６ａの間へ両側から角パイプから成る胴縁１１、１１を差し込んで支持させ、該雄ネジ１４ａへナット１７をねじ込み締めて支柱へ連結させる。この構成によれば、ナット１７が柵の内側に位置し、人の手は届かないので、侵入防止に有効である。もっとも、前記図示した実施例は一例であり、角パイプから成る胴縁１１が、支柱へしっかりと固定又は支持される構成であれば構わない。また図示例の場合、支柱１２は円管であることを示しているが、この例の限りではない。
【００１９】
菱形金網１０の上辺部及び下辺部には、図４に拡大して詳示したように金属線材を捻って立て、先端を二股形状に開いて、いわば有刺鉄線の棘に等しい形態としたツイストナックル１３が網目１０ａのピッチで多数密に形成されている。そして、前記ツイストナックル１３の直下位置及び直上位置の菱形網目はそれぞれ、当該菱形金網１０の網面に対して直角な向きに捻られており、これら直角な向きの網目１０ａの中に、同網目１０ａの内法寸法にほぼ内接する外形寸法の角パイプから成る胴縁１１が通されている（請求項３の発明）。
【００２０】
従って、人が本発明に係るフェンスを乗り越えて敷地内へ侵入しようとしても、菱形金網１０の上辺部のツイストナックル１３が胴縁１１を掴む手掛かりの場を制限する。一方、菱形金網１０の下辺部に下向きに形成したツイストナックル１３は、地面との隙間を塞ぐので、小動物が当該フェンスを潜って侵入することを防ぐ効果を奏する。
【図面の簡単な説明】
【００２１】
【図１】本発明に係る侵入防止用フェンスの設置状態を部分的に示す正面図である。
【図２】Ａ、Ｂは菱形金網と角パイプから成る胴縁の取り合い関係を示す正面図と側面図である。
【図３】菱形金網と胴縁の異なる取り合い関係を示す側面図である。
【図４】侵入防止用フェンスの支柱回り構造を拡大して示す正面図である。
【図５】Ａ、Ｂは、角パイプから成る胴縁を連結桿で支柱と連結した実施例を部分的に拡大して示す平面図と一部破断の側面図である。
【図６】従来一般の侵入防止用フェンスの設置状態を部分的に示す正面図である。
【図７】菱形金網と胴縁の取り合い構造を拡大して示す正面図である。
【図８】図６のＩ−Ｉ断面図である。
【符号の説明】
【００２２】
１０            菱形金網
１０ａ          網目
１１            胴縁
１２            支柱
１３            ツイストナックル
【図１】
0003612579.tif 000002
【図２】
0003612579.tif 000003
【図３】
0003612579.tif 000004
【図４】
0003612579.tif 000005
【図５】
0003612579.tif 000006
【図６】
0003612579.tif 000007
【図７】
0003612579.tif 000008
【図８】
0003612579.tif 000009